(57)【要約】      （修正有）【課題】瓦背面および瓦表面での空気流を考慮して樹脂瓦の浮上りを効果的に抑制することのできる、新しい樹脂瓦の耐風構造を提供する。【解決手段】樹脂瓦１と野地板２との間に空気の流通経路５を形成し、樹脂瓦１の背面には水平方向の補強リブ１を設ける。下段に配設した樹脂瓦１の上端に形成した金具用突部１４に引掛金具３の取付部３３を嵌め、固定ネジ４を金具の固定用穴及び下段樹脂瓦の上端を通して野地板２にねじ込み固定し、次いで上段の樹脂瓦下端を引掛金具３の引掛け部３１に引っ掛けることで下段の樹脂瓦の上端に固定している。【選択図】    図１
2004285773.tif 000002
【特許請求の範囲】
【請求項１】
樹脂瓦と野地板との間に空気の流通経路が形成され、該樹脂瓦の背面には水平方向の補強リブが設けられていることを特徴とする樹脂瓦の耐風構造。
【請求項２】
樹脂瓦の背面には、補強リブと直交する、該補強リブと略同じ高さの垂直リブがさらに設けられていることを特徴とする請求項１記載の樹脂瓦の耐風構造。
【請求項３】
樹脂瓦は、その上端が引掛金具とともに野地板に該野地板との間に空間を開けて固定され、且つその下端が隣接した下段の樹脂瓦の上端にある引掛金具に引っ掛けられて、野地板上に取り付けられることを特徴とする請求項１記載の樹脂瓦の耐風構造。
【請求項４】
樹脂瓦の上端背面には突起部が一体に設けられ、突起部の高さ分が空気の流通経路となっていることを特徴とする請求項１記載の樹脂瓦の耐風構造。
【発明の詳細な説明】
【０００１】
【発明の属する技術分野】
この出願の発明は、樹脂瓦の耐風構造に関するものである。さらに詳しくは、この出願の発明は、瓦背面および瓦表面での空気流を考慮して瓦の浮上りを効果的に抑制することのできる、新しい樹脂瓦の耐風構造に関するものである。
【０００２】
【従来の技術】
従来、瓦を屋根に葺く際には、耐風性を確保するために、瓦が風により浮き上がらないように瓦背面への風の吹込みを抑制したり、瓦自体を強固に固定したりする対策を施すことが各種提案されている（たとえば特許文献１、２、３参照）
【０００３】
【特許文献１】
特開２０００−８０７５９号公報
【特許文献２】
特開２００１−１０７５１１号公報
【特許文献３】
特開２００１−３０３７２０号公報
【０００４】
【発明が解決しようとする課題】
しかしながら、上記特許文献に記載のいずれの従来技術も、瓦表面に流れる空気の流れによる浮上り力については何ら考慮していない。すなわち、仮に瓦背面への吹込みの抑制や強固な固定を行うことができたとしても、瓦表面に生じる乱気流による浮上り力によって瓦が浮上り易くなるのである。また、施工状態によっては瓦背面に空気が流入してしまうことも考えられ、結局は瓦背面からの押上げ力と瓦表面の浮上り力との相乗効果が働き、瓦が余計に浮き上がり易くなる。
【０００５】
特に、瓦が樹脂製のものである場合には、軽量であることからより浮き上がり易く、せっかくの軽量樹脂瓦の利点を損ねてしまう恐れがある。
【０００６】
そこで、この出願の発明は、以上のとおりの事情に鑑み、瓦背面への空気流はもちろんのこと瓦表面での空気流についても考慮して、樹脂瓦の浮上りを効果的に抑制することのできる、新しい樹脂瓦の耐風構造を提供することを課題としている。
【０００７】
【課題を解決するための手段】
上記の課題を解決するものとして、この出願の発明は、第１には、樹脂瓦と野地板との間に空気の流通経路が形成され、該樹脂瓦の背面には水平方向の補強リブが設けられていることを特徴とする樹脂瓦の耐風構造を提供する。
【０００８】
また、第２には、前記樹脂瓦の背面には、前記補強リブと直交する、該補強リブと略同じ高さの垂直リブがさらに設けられていることを特徴とする樹脂瓦の耐風構造、第３には、前記樹脂瓦は、その上端が引掛金具とともに野地板に該野地板との間に空間を開けて固定され、且つその下端が隣接した下段の樹脂瓦の上端にある引掛金具に引っ掛けられて、野地板上に取り付けられることを特徴とする樹脂瓦の耐風構造、第４には、前記樹脂瓦の上端背面には突起部が一体に設けられ、突起部の高さ分が空気の流通経路となっていることを特徴とする樹脂瓦の耐風構造を提供する。
【０００９】
【発明の実施の形態】
上記のとおりの特徴を有するこの出願の発明によれば、たとえば図１に例示したように、樹脂瓦（１）と野地板（２）との間に空気の流通経路（５）を形成し、且つその樹脂瓦（１）の背面に水平方向の補強リブ（１１）を設けることで、樹脂瓦（１）背面および樹脂瓦（１）表面での空気流を考慮した樹脂瓦（１）の浮上り抑制を可能ならしめる新しい樹脂瓦の耐風構造が実現される。
【００１０】
この場合さらに説明すると、図１の実施形態では、まず、樹脂瓦（１）を野地板（２）上に取り付ける際に、樹脂瓦（１）と野地板（２）との間に空気の流通経路（５）を確保する。
【００１１】
たとえば、樹脂瓦（１）の上端（棟側端とも呼べる）を、引掛金具（３）とともに野地板（２）に、その野地板（２）との間に空間を設けて固定し、且つ樹脂瓦（１）の下端（軒側端とも呼べる）を、隣接した下段の樹脂瓦（１）の上端にある引掛金具（３）に引っ掛けるようにして、樹脂瓦（１）を野地板（２）上に取り付けることで、引掛金具（３）の介在で空気の流入路を形成しながら樹脂瓦（１）の施工を簡単に行うことができる。
【００１２】
このときさらに、図２にも例示したように、樹脂瓦（１）の上端背面に一体に突起部（１３）を設けておくことで、別部材を用いることなく上記樹脂瓦（１）の取付け作業のみで、突起部（１３）の高さ分を流通経路（５）として確保できるようになる。
【００１３】
なお、引掛金具（３）については、上記のとおりの樹脂瓦（１）の取付けが可能となれば特に限定されないが、たとえば図１では、図３および図４にも例示したように、まず樹脂瓦（１）の上端に金具用突部（１４）を設けておき、引掛金具（３）に引掛け部（３１）、固定ネジ用穴（３２）、および取付け部（３３）を設けておく。これにおいて、下段の樹脂瓦（１）上端の金具用突部（１４）に引掛金具（３）の取付け部（３３）を嵌め、固定ネジ（４）を引掛金具（３）の固定ネジ用穴（３２）を通して野地板（２）にねじ込むことで、下段の樹脂瓦（１）上端を引掛金具（３）とともに野地板（２）にネジ固定し、次いで上段の樹脂瓦（１）下端を、引掛金具（３）の引掛け部（３１）に引っ掛けることで、下段の樹脂瓦（１）上端に固定している。これにより、引掛金具（３）を介しての樹脂瓦（１）の強固な固定が可能となり、後述する樹脂瓦（１）背面での回流Ｅ（図５参照）による浮上り防止効果と相まって対風性能の向上を実現している。
【００１４】
続いて、上述のように流通経路（５）を確保しながら取り付けられる樹脂瓦（１）についてはさらに、図２にも例示したように、その背面に水平方向つまり左右横方向に延びる複数の補強リブ（１１）を配設しておく。これにより、樹脂瓦（１）に荷重がかかった時は樹脂瓦（１）が撓んでその背面にある補強リブ（１１）が野地板（２）に当接することで、樹脂瓦（１）の割れを防止するとともに、樹脂瓦（１）の背面に流入する空気の流れに対して回流を生じさせ、樹脂瓦（１）の浮き上がりを抑制することができる。すなわち、補強リブ（１１）が補強機能と浮上り防止機能の両方を担っている。
【００１５】
さらに説明すると、図５にも示したように、樹脂瓦（１）の表面には空気の流れＡの乱気流により渦Ｂが発生して上向きの応力が生じる。これが樹脂瓦（１）表面での浮上り力Ｃとなる。一方、樹脂瓦（１）の背面には上記流通経路（５）にて空気Ｄが入り込んで流れるが、上記補強リブ（１１）によって回流Ｅ（渦流とも呼べる）が発生して下向きの応力が生じる。これが樹脂瓦（１）背面での引下げ力（引張り力とも呼べる）Ｆとなる。この引下げ力Ｆが浮上り力Ｃを打ち消して、樹脂瓦（１）の浮き上がりが抑制されるのである。
【００１６】
このときさらに、たとえば図２に例示したように、樹脂瓦（１）の背面に、補強リブ（１１）と直交する、それと略同じ高さの垂直リブ（１２）を設けることで、上記空気の回流Ｅに際して水平方向への空気の流れが抑制され、回流効果を確保しやすくなる。
【００１７】
さらに説明すると、補強リブ（１１）と直交するつまり軒棟縦方向に延びる複数の垂直リブ（１２）を、補強リブ（１１）と略同じ高さ（同じ高さ及びほぼ同じ高さを含む）として配設しておく。これにより、樹脂瓦（１）背面には補強リブ（１１）と垂直リブ（１２）とにより区画された複数の小空間が形成され（図２参照）、この各小空間内にて樹脂瓦（１）と野地板（２）との間の流通経路（５）を流れる空気Ｄが効率良く回流Ｅする。そしてこの回流Ｅが浮上り力Ｃをより強固に打ち消す引下げ力Ｆを発生させて、樹脂瓦（１）の耐風性能をより一層向上させることとなる。
【００１８】
【発明の効果】
以上のこの出願の発明によれば、瓦背面および瓦表面での空気流を考慮し、従来技術とは異なりあえて瓦背面へ空気を流入させ、且つそれを回流させることで、瓦表面の空気流・乱気流に抵抗する力を瓦背面にて発生させて、軽量な樹脂瓦であってもその浮上りを効果的に抑制することのできる、新しい樹脂瓦の耐風構造が提供される。
【図面の簡単な説明】
【図１】この出願の発明の一実施形態を示した側面図である。
【図２】この出願の発明の一実施形態を示した瓦背面図である。
【図３】（ａ）（ｂ）は各々、引掛金具を用いた瓦施工の一例を示した斜視図および平面図である。
【図４】引掛金具を用いた瓦施工の一例を示した別の斜視図である。
【図５】この出願の発明による耐風効果について説明するための図である。
【符号の説明】
１  樹脂瓦
１１  補強リブ
１２  垂直リブ
１３  突起部
１４  金具用突部
２  野地板
３  引掛金具
３１  引掛け部
３２  固定ネジ用穴
３３  取付け部
４  固定ネジ
５  （空気の）流通経路
【図１】
2004285773.tif 000003
【図２】
2004285773.tif 000004
【図３】
2004285773.tif 000005
【図４】
2004285773.tif 000006
【図５】
2004285773.tif 000007